(57)【要約】  【課題】上蓋の開閉が軽い力で行えると共に体裁も良いテーブルタイプの展示ケースを提供する。  【手段】展示台１のうち、展示エリア4 の左右外側の部分を中空状のサイドフレーム１９で構成し、このサイドフレーム１９の内部にガスシリンダ２４を前後方向に延びる姿勢で配置している。ガスシリンダ２４における可動部材２７の先端部に可動ピン３０によってリンク３１が連結され、リンク３１の後端はブラケット板３２を介して上蓋３に連結されている。可動ピン３０にコロ３３が取付けられており、コロ３３はインナーフレーム２５に形成したガイド溝３４に上下動不能で前後動自在に嵌め入れられている。ガスシリンダ２４はサイドフレーム１９に内蔵されているため体裁が良い。【選択図】    図５
2006223387.tif 000002
【特許請求の範囲】
【請求項１】
展示品が載る展示エリアを有する平面視略矩形の展示台と、前記展示エリアを外部から視認可能な状態で覆う上蓋とを備えており、前記上蓋は、跳ね上げ回動させ得るように展示台の後部にヒンジ手段を介して取付けられている展示ケースであって、
前記展示台のうち陳列エリアの外側の部分の全部又は一部を中空部に形成し、この中空部内に、前記上蓋の跳ね上げ回動を助長するためのアクチェータを露出しない状態で配置しており、このアクチェータと上蓋とを、アクチェータの作動力が上蓋の開き動補助力として作用するように連動部材にて連結している、
展示ケース。
【請求項２】
前記展示台における展示エリアの周囲は囲いがなくオープン方式になっており、前記上蓋は四枚の側板と１枚の天板とを備えていて周囲のどの部分からも展示エリアを視認できるようになっている一方、
前記アクチェータはガスシリンダであって、このガスシリンダを、展示エリアの左右外側に配置した中空状サイドフレームの内部に前後に延びる姿勢で配置しており、ガスシリンダの可動体と前記上蓋とを、前記連動部材としてのリンクで連結している、
請求項１に記載した展示ケース。
【発明の詳細な説明】
【技術分野】
【０００１】
本願発明は、美術品や商品等の各種の物品を展示するのに使用する展示ケースに関するものである。
【背景技術】
【０００２】
展示ケースは展示エリアを透明な跳ね上げ回動式上蓋が覆った構造になっているが、上蓋は相当に重いため、その開き動を助長するため（及び閉じる際の緩衝のため）にガスシリンダを使用することが多い。その例が特許文献１に記載されている。
【０００３】
すなわち、この特許文献１は、陳列エリアの左右を中空状側枠で囲うと共に展示エリアの背後は後枠で囲っているタイプの展示ケースにおいて、左右の側枠にガスシリンダを配置し、ガスシリンダの可動体を上蓋にピンで連結したものである。
【０００４】
この特許文献１の展示ケースは、その前方から展示物を閲覧するタイプであり、従って、上蓋は全体として板状に形成されており、また、展示台の下部の周囲はカバーで覆われている。
【０００５】
これに対して、例えば特許文献２に記載されているように、展示エリアの周囲を囲いのないオープン方式にすると共に、上蓋は４枚の側板と１枚の天板とを備えて箱型に形成したテーブルタイプ（或いはスタンドタイプ）の展示ケースがあり、このタイプの展示ケースでは周囲のどこからでも展示物を閲覧することができる。また、このタイプの展示ケースにおいて展示台の下方はオープンになっているため、車椅子の人でも閲覧し易い。
【特許文献１】登録実用新案第３００８７５３号公報
【特許文献２】特開２００３−１００１１号公報
【発明の開示】
【発明が解決しようとする課題】
【０００６】
特許文献１のようにガスシリンダを設けると上蓋の開閉を楽に行えるが、ガスシリンダが露出するため体裁が悪いという問題がある。また、ガスシリンダで上蓋の跳ね上げ回動を助長する場合、上蓋が閉じた状態のときにガスシリンダは側面視で傾斜姿勢にしておく必要があるが、特許文献２のようなテーブル方式の展示ケースではガスシリンダを側面視で傾斜姿勢に配置するスペースがないため、テーブル方式の展示ケースにガスシリンダを設けることは難いという問題がある。
【０００７】
本願発明は、このような現状を改善することを課題とするものである。
【課題を解決するための手段】
【０００８】
前記課題を解決するため請求項１の発明では、展示品が載る展示エリアを有する平面視略矩形の展示台と、前記展示エリアを外部から視認可能な状態で覆う上蓋とを備えており、前記上蓋は、跳ね上げ回動させ得るように展示台の後部にヒンジ手段を介して取付けられている展示ケースにおいて、前記展示台のうち陳列エリアの外側の部分の全部又は一部を中空部に形成し、この中空部内に、前記上蓋の跳ね上げ回動を助長するためのアクチェータを露出しない状態で配置しており、このアクチェータと上蓋とを、アクチェータの作動力が上蓋の開き動補助力として作用するように連動部材にて連結している。
【０００９】
請求項２の発明は、請求項１において、前記展示台における展示エリアの周囲は囲いがなくオープン方式になっており、前記上蓋は四枚の側板と１枚の天板とを備えていて周囲のどの部分からも展示エリアを視認できるようになっている。そして、前記アクチェータはガスシリンダであって、このガスシリンダを、展示エリアの左右外側に配置した中空状サイドフレームの内部に前後に延びる姿勢で配置しており、ガスシリンダの可動体と前記上蓋とを、前記連動部材としてのリンクで連結している。
【発明の効果】
【００１０】
本願発明によると、ガスシリンダのようなアクチェータは展示台の中空部に隠れているため体裁が悪くなることはない。また、アクチェータと上蓋を直接に連結するのではなく、連動部材を介してアクチェータの力を上蓋に作用させるものであるため、アクチェータを中空部内に隠した状態であっても、アクチェータの作動力を上蓋の回動補助力となすことができる。従って、特許文献２のようなテーブルタイプの展示ケースにも支障無く適用することができる。
【００１１】
そして、テーブルタイプの展示ケースにおいては、展示台のうち展示エリアの左右外側の部分は中空状サイドフレームで構成されていることが多く、従って、請求項のように構成すると、中空状サイドフレームを利用してガスシリンダを配置することができるため、特に好適である。
【発明を実施するための最良の形態】
【００１２】
次に、本願発明の実施形態を図面に基づいて説明する。本願発明はテーブルタイプの展示ケースに適用しており、図１で全体を示している。展示ケースは、平面視矩形（四角形）の展示台１と、展示台１をコーナー部において支持する４本の脚２と、展示台１を開閉自在に覆う上蓋３とを備えている。展示台１のうち物品が載る展示エリア４はその周囲よりもやや高い高さになっている。
【００１３】
一方、上蓋３は、展示エリア４をすっぽり覆う補強フレーム５と、この補強フレーム５に固定した４枚の透明な側板６と、４枚の側板６に固定した透明な天板７とを備えており、補強フレーム５の後端部が展示台１の後端部に左右複数個（例えは中間部と左右端部との３カ所）において蝶番で連結することにより、後方に跳ね上げできるようになっている。
【００１４】
以下、図２以下の図面も参照して詳細を説明する。図２は図１のII−II視断面図、図３は展示台１の部分的な一部破断平面図、図４のうち（Ａ）は図３のＡ−Ａ視断面図、（Ｂ）は図３のＢ−Ｂ視断面図、（Ｃ）は図３のＣ−Ｃ視断面図、図５のうち（Ａ）は図３の V-V視断面図、図６は展示台１の部分的な斜視図である。
【００１５】
図２に示すように、展示台１の前部は中空状のフロントフレーム８で構成されて後部は中空状のリアフレーム９で構成されており、リアフレーム９の内部に左右適宜感覚を隔てて配置した複数個のヒンジ１０によって上蓋３が取付けられている。ヒンジ１０は固定片１０ａと可動片１０ｂとを備えており、固定片１０ａはリアフレーム９の内底面に固定した補強板１１にビス止めされている。
【００１６】
展示エリア４はフレーム１２に鋼板１２ａを張った構造になっているが、合板等の他の素材製でも良い。なお、図示していないが展示エリアの上面にクロスを張っている。
【００１７】
図２に示すように、上蓋３における補強フレーム５の前部でかつ左右中間部にはロック片１３が下向き突設されている一方、展示台１を構成するフロントフレームの中空部には、前記ロック片１３が係脱するラッチ爪１４を有するラッチ装置１５が配置されている。上蓋３を閉じ切るとロック片１３がラッチ爪１４と係合して閉じ状態が保持され、ラッチ装置１５の下面に露出させたレバー１６を手前に引くとラッチが解除される。展示エリア４の周囲の外側にはシール材１７が配置されている。
【００１８】
例えば図４（Ａ）（Ｂ）に示すように、展示台１のうち展示エリア４の左右外側の部分は上向きに開口した中空樋状のサイドフレーム１９で構成されている。他方、図３及び図４（Ｃ）に示すように、リアフレーム９の左右端部に配置された補強板１１には、サイドフレーム１９の後端に向けて延びる左右長手のばね受けロッド２０が固着されており、このばね受けロッド２０にねじりコイルばね２１を巻き付け、ねじりコイルばね２１の一端部はリアフレーム９の底面に当接し、ねじりコイルばね２１の他端部２１ｂは手前側に伸びていてその先端が上蓋３における補強フレーム５の下面に当てられている。従って、閉じた状態の上蓋３はねじりコイルばね２１によって開き方向に付勢されている。
【００１９】
この場合、ねじりコイルばね２１ｂの他端部２１ｂはサイドフレーム１９の左右略中間部に位置している。また、ばね受けロッド２０にはばねの抜け止めのための座金２２がボルト２３で固定されている。更に、上蓋３における補強フレーム５の下面には、ねじりコイルばね２１の他端部２１ｂの左右ずれを防止するためのホルダー２１ｃを固着している。
【００２０】
左右のサイドフレーム１９の内部には、上蓋３の開き補助及び閉じ緩衝のためのアクチェータの一例としてガスシリンダ２４が、上向き開口樋状のインナーフレーム２５を介して配置されている。
【００２１】
ガスシリンダ２４は外筒２６と内筒２７とからなっており、本実施形態では、外筒２６を固定部としてその手前側の端部がインナーフレーム２５にブラケット２８及びピン２９を介して連結されており、他方、可動部である内筒２７の前端には左右長手のピン３０を介してリンク３１の前端部が連結されており、リンク３１の後端部は、上蓋３の補強フレーム５に下向き突設したブラケット板３２に左右長手のピン３３で連結されている。なお、ガスシリンダ２４の固定部はインナーフレーム２５にビス等によって直接に取付けても良い。
【００２２】
ガスシリンダ２４の内筒２７とリンク３１とを連結するピン３０の左右両端には左右一対のコロ３３が取付けられており、左右のコロ３３は、インナーフレーム２５に上片２５ａを折り曲げ形成することによって形成されたガイド溝３４に上下動不能で前後動自在に嵌まっている。なお、ピン３０はボルトで代替しており、コロ３３はカラー３６及びナット３７を介してピン３０に取付けられている。
【００２３】
図５に一点鎖線で示すように、上蓋３を閉じ切った状態ではリンク３１はサイドフレーム１９の内部に入り込んでおり、上蓋３を開くのに伴って、リンク３１は奥側に移動しつつ傾斜角度が大きくなっていく。換言すると、ガスシリンダ２４によってリンク３１を奥側に押しつつ傾斜角度を大きくすることにより、上蓋３の開き回動が助長される。このため上蓋３を軽い力で軽快に空けることができる。また、上蓋３を閉じるに際しては、ガスシリンダ２４が緩衝体（アブソーバ）として作用し、ガタンと閉じることを防止できる。
【００２４】
また、ねじりコイルばね２１の存在により、ランチ装置１５のレバー１６を引いてラッチを解除するとある程度の角度だけ開き動するポップアップ機能が発揮されて、上蓋３の補強フレーム５と展示台１との間には人が指を差し入れることのできる隙間が空き、このため上蓋３の開き操作を支障無く行える。また、リンク３１の傾斜姿勢が大きくなるため、ガスシリンダ２４の付勢力が上蓋３の上向き回動に大きく変換することができる利点がある。
【００２５】
図４（Ａ）（Ｂ）や図６に示すように、サイドフレーム１９の上面にはカバー板３７を張っており、このカバー板３７の上面にシール材１７を張っている。そして、サイドフレーム１９におけるカバー板３７とシール材１７の後部はリンク３１及びねじりコイルばね２１の他端部２１ｂが回動することを許容するため切欠きが３９が形成されている。
【００２６】
この場合、例えば図６に示すように、リンク３１とブラケット板３２とねじりコイルばね２１の他端部２１ｂとを覆うカバー部材４０を設けると体裁が良く、また、展示物を誤って挟み込むようなことも防止できる。なお、カバー部材３９は蛇腹式としたり軟質材製としたりすることにより、上蓋３の回動を許容したら良い。
【００２７】
なお、特許文献１ではガスシリンダを側枠のうち手前側の部分に配置しているため、人が上蓋と側枠との間に手を挟みやすくなるが、本実施形態のようにサイドフレーム１９にガスシリンダ２４を内蔵すると、リンク３１はサイドフレーム１９の奥部に配置されるため、人が上蓋と展示台１との間に手や指を挟む虞れは事実上ないと言える。
【００２８】
以上、本願発明の実施形態の１つを説明したが、本願発明の具体的構成は上記実施形態に限定されるものではなく、他の多くの構成に展開できる。例えばアクチェータとしてはガスシリンダの他に電磁ソレノイドなども使用できるのであり、例えばロータリーソレノイドをリアフレームに内蔵するといったことも可能である。また、上蓋を開き動初期にといてポップアップさせるためのばね手段としては、コイルばねや板ばね、トーションバー等の他のものも使用できる。
【００２９】
また、本実施形態ではサイドフレーム、フロントフレーム，リアフレームは複数の板材で構成しているが、チャンネル材や角材のような単一部材（溝型鋼）で構成しても良いことはいうまでもない。更に、本願発明はテーブルタイプの展示ケースのみでなく、特許文献１のように、主として前方から展示エリアを観察するタイプの展示ケースにも適用できる。
【図面の簡単な説明】
【００３０】
【図１】展示ケースの斜視図である。
【図２】図１のII−II視断面図である。
【図３】展示台の部分的な一部破断平面図である。
【図４】(A)は図３の A-A視断面図、 (B)は図３の B-B視断面図、 (C)は図３の C-C視断面図である。
【図５】（Ａ）は図３の V-V視断面図、（Ｂ）は（Ａ）のＢ−Ｂ視断面図である。
【図６】展示台の部分的な斜視図である。
【符号の説明】
【００３１】
１  展示台
２  脚
３  上蓋
４  展示エリア
５  上蓋の補強フレーム
６  上蓋の側板
７  上蓋の天板
１０  ヒンジ
１９  サイドフレーム
２１  ねじりコイルばね
２４  ガスシリンダ
２５  インナーフレーム
３１  リンク
３２  ブラケット板
３３  コロ
【図１】
2006223387.tif 000003
【図２】
2006223387.tif 000004
【図３】
2006223387.tif 000005
【図４】
2006223387.tif 000006
【図５】
2006223387.tif 000007
【図６】
2006223387.tif 000008